(57)【特許請求の範囲】
【請求項１】
機器収納用ラックに収納され、水平姿勢で前方へ引き出し可能に支持されるスライド台と、そのスライド台上に載置される横長のキーボード台とからなるキーボードテーブルであって、
前記キーボード台を前記スライド台上で回動可能に設け、前記機器収納用ラック内の左右何れか一方の内面側と、前記キーボード台の回動軸から短手方向への偏心位置との間をリングバーで夫々回動可能に連結して、前記スライド台のスライドに伴う前記リンクバーの旋回により、引き出し位置では前記キーボード台が横向きと、収納位置では前記キーボード台が縦向きとなるように回転させるとともに、
前記リンクバーに、前記リンクバーに沿ってコードを固定可能な固定手段を設けたことを特徴とするキーボードテーブル。
【発明の詳細な説明】
【０００１】
【発明の属する技術分野】
本発明は、ＬＡＮ用機器等の各種機器を収納する機器収納用ラックに、パーソナルコンピュータ等のキーボードを出し入れするために設けられるキーボードテーブルに関する。
【０００２】
【従来の技術】
従来のキーボードテーブルを図４に示す。これは、四本の支柱等で形成される図示しない機器収納用ラック内に固定される受け台３０と、その受け台３０内で手前側に引き出し可能に収納されるスライド台３１と、そのスライド台３１上にあってキーボード３３を載置可能なキーボード台３２とからなる。ここで、マウス３４の操作スペースの付加等によってキーボード台３２の縦寸法が長くなると、機器収納用ラックの奥行きによってはスライド台３１にキーボード台３２を使用姿勢（横向き）で収納できないことがあるため、このような場合はキーボード台３２をスライド台３１へ縦向きに載置する（同図▲１▼）。よって、キーボード３３を使用する際は、まずキーボード台３２ごとスライド台３１を手前に引き出し（同図▲２▼）、キーボード台３２を手で９０°回転させて横向きにしてから（同図▲３▼）、スライド台３１とキーボード台３２とを適正位置にセットする（同図▲４▼）手順となる。収納時は逆の手順である。
【０００３】
【発明が解決しようとする課題】
このように上記キーボードテーブルにおいては、使用時及び収納時何れにあってもスライド台３１やキーボード台３２の出し入れ操作に加えてキーボード台３２の回転操作が必要となるため、手間がかかり、又、キーボード台３２の回転の際にキーボード３３を受け台３０や機器収納用ラックの支柱等にぶつけて傷付けたりするおそれもある。
更に、上記操作に伴うキーボード台３２のスライドと回転とにより、図５に示すようにキーボード３３やマウス３４のコード３５が受け台３０上で長く引き出されるため、スライド台３１やキーボード台３２のスライドや回転の邪魔になったり、コード３５が挟まれて損傷したりしてしまう。
【０００４】
そこで、請求項１に記載の発明は、キーボードを縦向きに収納する場合であっても何等の手間なく、且つキーボードの損傷のおそれもなくキーボードを出し入れ操作できるキーボードテーブルを提供することを目的としたものである。
【０００５】
【課題を解決するための手段】
上記目的を達成するために、請求項１に記載の発明は、キーボード台をスライド台上で回動可能に設け、機器収納用ラック内の左右何れか一方の内面側と、キーボード台の回動軸から短手方向への偏心位置との間をリングバーで夫々回動可能に連結して、スライド台のスライドに伴うリンクバーの旋回により、引き出し位置ではキーボード台が横向きと、収納位置ではキーボード台が縦向きとなるように回転させるとともに、リンクバーに、リンクバーに沿ってコードを固定可能な固定手段を設けたことを特徴とするものである。
【０００６】
【発明の実施の形態】
以下、本発明の実施の形態を図面に基づいて説明する。
図１はキーボードテーブルの分解斜視図で、キーボードテーブル１は、図示しない機器収納用ラックへ水平に支持されるスライド台２と、そのスライド台２上にセットされるキーボード台３とを有する。スライド台２は平面矩形状を呈し、機器収納用ラック内の左右両側で前後方向（図１の左下方向を前方とする。）に配される一対の取付レール４，４間にあって、両サイドから後方へ伸長されたレール部５，５をガイドレール６，６で支持させることで、図示しないストッパによって規制されるまで前方へ引き出し可能となっている。７は取っ手である。又、キーボード台３は、スライド台２と略同じ幅を有し、短手方向の中央を膨出させた横長五角形状のプレートで、長手方向の中央で膨出部８と反対側の長辺寄りの位置と、スライド台２における左右方向の中央で後端際の位置とを、取付ネジ９及び取付Ｕナット１０によって取付ネジ９を中心に回動可能に連結されている。１１，１１は樹脂ワッシャーである。
【０００７】
一方、向かって右側の取付レール４のやや後方寄りの位置には、リンクバー１２の基端が、取付ネジ１３及び樹脂ワッシャー１４，１４、取付Ｕナット１５によって回動可能に取り付けられ、リンクバー１２の先端は、キーボード台３の膨出部８先端の下面に、同じく取付ネジ１６及び樹脂ワッシャー１７，１７、取付Ｕナット１８によって回動可能に連結されている。
尚、ここでは、スライド台２の収納位置で、図２（Ａ）及び図３（Ａ）に示すように、偏心位置となる取付ネジ１６がキーボード台３の回動軸となる取付ネジ９の略左側真横に位置するように、リンクバー１２は、少なくとも取付ネジ１６から取付レール４への垂線Ｌの長さより長く設定されている。同様に、スライド台２の引き出し位置では、図３（Ｄ）に示すように、取付ネジ１６が取付ネジ９の真後ろに位置するように、リンクバー１２の基端を連結する取付ネジ１３の位置が設定されている。
【０００８】
そして、キーボード台３上には、キーボード１９が、その長手方向をキーボード台３の長手方向と一致させてセットされる。キーボード１９のコード２０は、図２（Ｂ）に示すように、固定手段としてのワイヤークリップ２１によってリンクバー１２に沿って固定されて図示しない本体へ接続され、マウス２２のコード２３は、スライド台２の引き出し状態でキーボード台３の後方で開口するように穿設された透孔２４からスライド台２の裏側へ引き回された後、キーボード台３の膨出部８に穿設された透孔２５から再び上面に引き出され、キーボード１９のコード２０と一緒にワイヤークリップ２１によってリンクバー１２に固定される。２６，２６・・は、キーボード台３における膨出部８と反対側の長手端縁及び両短手端縁に夫々立設されて、キーボード台３からのキーボード１９の脱却を防止するストッパである。
【０００９】
以上の如く構成されたキーボードテーブル１においては、スライド台２の収納位置から取っ手７を把持して前方へ引き出すと、取付ネジ１６によってキーボード台３の膨出部８と連結されるリンクバー１２は、図３（Ｂ）のように取付ネジ１３を中心として左側へ旋回し、逆にキーボード台３は取付ネジ９を中心として右側へ回転する。そのままスライド台２の引き出しが続き、取付ネジ９の直線移動に従って取付ネジ１３との距離が広がると、取付ネジ１６がリンクバー１２の回転軌跡に沿って徐々に中央側へ移動することで、キーボード台３も右回転を続け（同図（Ｃ））、スライド台２を完全に引き出した状態では、キーボード台３は略９０°右回転した格好で長手方向を左右に向けた使用姿勢で停止する（同図（Ｄ））。
一方、スライド台２を収納する場合、図３（Ｄ）の引き出し位置からスライド台２を押し込むと、リンクバー１２が後方へ押されて今度は右旋回すると共に、取付ネジ１６は引出し時の回転軌跡を逆にたどって左側へ移動するため、キーボード台３も引出し時と逆回転して、同図（Ａ）の収納位置では、キーボード台３は略９０°左回転した格好で再び縦向きに停止する。
【００１０】
このように上記形態によれば、キーボード台３をスライド台２上で回動可能に設け、取付レール４とキーボード台３の膨出部８との間をリンクバー１２で夫々回動可能に連結して、スライド台２のスライドに伴うリンクバー１２の旋回により、引き出し位置ではキーボード台３が横向きと、収納位置ではキーボード台３が縦向きとなるように回転させることで、操作者はスライド台２を出し入れする操作のみで足り、キーボード台３に何等手間がかかることがなく使い勝手に優れる。又、キーボード台３は常に一定の軌跡でスライドしつつ回転するため、キーボード１９が取付レール４等にぶつかって損傷するおそれが解消される。
更に、リンクバー１２に、コード２０，２３をリンクバー１２に沿って固定するワイヤークリップ２１を設けているから、コードがスライド台２のスライドやキーボード台３の回転の邪魔になることがなく、損傷も生じない。
【００１１】
尚、上記形態では、スライド台２に対するキーボード台３の取付位置を、若干左寄りに設定している。これは、キーボード台３の回転の際にキーボード台３の角部と右側の取付レール４との干渉を回避するため（図３（Ｃ））のものであるから、キーボード台３の長手方向の幅や取付レール４，４間の間隔によってはキーボード台３をスライド台２の中央に取り付けることは勿論可能である。
又、リンクバー１２の基端を連結する取付レール４を上記形態と逆に左側にしても、リンクバー１２とキーボード台３との回転方向が夫々逆向きとなるだけで得られる作用は同じである。その他、リンクバーの基端を連結するのは取付レールに限らず、基端が回動可能に連結できれば、支柱や側板等機器収納用ラックの内面側で適宜選択可能である。
【００１２】
【発明の効果】
請求項１に記載の発明によれば、キーボード台をスライド台上で回動可能に設け、機器収納用ラック内の左右何れか一方の内面側と、キーボード台の回動軸から短手方向への偏心位置との間をリンクバーで夫々回動可能に連結して、スライド台のスライドに伴うリンクバーの旋回により、引き出し位置ではキーボード台が横向きと、収納位置ではキーボード台が縦向きとなるように回転させることで、操作者はスライド台を出し入れする操作のみで足り、キーボード台に何等手間がかかることがなく使い勝手に優れる。又、キーボード台は常に一定の軌跡でスライドしつつ回転するため、キーボードがラック側の支柱等にぶつかって損傷するおそれが解消される。
さらに、リンクバーに、リンクバーに沿ってコードを固定可能な固定手段を設けたことで、コードがスライド台のスライドやキーボード台の回転の邪魔になることがなく、損傷も生じない。
【図面の簡単な説明】
【図１】（Ａ）キーボードテーブルにおけるスライド台とキーボード台との連結構造を示す分解斜視図である。
（Ｂ）キーボードテーブルにおけるキーボード台とリンクバーとの連結構造を示す分解斜視図である。
【図２】（Ａ）スライド台の収納位置でのキーボードテーブルの斜視図である。
（Ｂ）スライド台の引き出し位置でのキーボードテーブルの斜視図である。
【図３】（Ａ）収納位置でのキーボード台の説明図（マウスやコードは省略）である。
（Ｂ）キーボード台の回転動作を示す説明図である。
（Ｃ）キーボード台の回転動作を示す説明図である。
（Ｄ）引き出し位置でのキーボード台の説明図である。
【図４】従来のキーボードテーブルの説明図である。
【図５】従来のキーボードテーブルの説明図である。
【符号の説明】
１・・キーボードテーブル、２・・スライド台、３・・キーボード台、４・・取付レール、８・・膨出部、９，１３，１６・・取付ネジ、１２・・リンクバー、１９・・キーボード、２０，２３・・コード、２１・・ワイヤークリップ。
【図１】
0004575585.tif 000002
【図２】
0004575585.tif 000003
【図３】
0004575585.tif 000004
【図４】
0004575585.tif 000005
【図５】
0004575585.tif 000006